(57)【要約】【課題】  チャンネル切り替え時のインターバルを短縮すること。【解決手段】  ユーザが選択したチャンネルの番組情報を受信する複数のチューナ１ａ〜１ｃと、その各チューナ１ａ〜１ｃで受信した番組情報をデマルチプレクサ４を介してデコード処理する複数のデコーダ部２ａ〜２ｃとを有し、その各デコーダ部２ａ〜２ｃのうちユーザが選択したチャンネルに対応するデコーダ部でデコード処理した番組情報を切替部５を介して表示部３に送り出して再生するものであって、ユーザがチャンネル選択を複数回おこなってその選択がザッピング処理と判断された場合にそのチャンネル選択が昇順選択か降順選択かを判断し、その判断に基づいて各チューナ１ａ〜１ｃ及び各デコーダ部２ａ〜２ｃのうち選択したチャンネルに対応するもの以外を昇順側または降順側のチャンネルに切り替えるザッピング手段が設けられている。【選択図】        図１
2009200929.tif 000002
【特許請求の範囲】
【請求項１】
ディジタル放送により複数のチャンネルで供給される圧縮符号化された番組情報のうち
ユーザが選択したチャンネルの番組情報を受信する複数のチューナと、その各チューナで
受信した番組情報をデマルチプレクサを介してデコード処理する複数のデコーダ部とを有
し、その各デコーダ部のうちユーザが選択したチャンネルに対応するデコーダ部でデコー
ド処理した番組情報を切替部を介して表示部に送り出して再生するようにしたディジタル
放送受信機において、ユーザがチャンネル選択を複数回おこなってその選択がザッピング
処理と判断された場合にそのチャンネル選択が昇順選択か降順選択かを判断し、その判断
に基づいて各チューナ及び各デコーダ部のうち選択したチャンネルに対応するもの以外を
昇順側または降順側のチャンネルに切り替えるザッピング手段が設けられていることを特
徴とするディジタル放送受信機。
【請求項２】
前記チューナ及びデコーダ部が３台以上設けられており、ザッピング手段により昇順選
択か降順選択かの判断に基づいて各チューナ及び各デコーダ部のうち選択したチャンネル
に対応するもの以外を昇順側または降順側の複数のチャンネルに切り替えるようにしたこ
とを特徴とする請求項１に記載のディジタル放送受信機。
【請求項３】
ディジタル放送により複数のチャンネルで供給される圧縮符号化された番組情報のうち
ユーザが選択したチャンネルの番組情報を受信する複数のチューナと、その各チューナで
受信した番組情報をデマルチプレクサを介してデコード処理する複数のデコーダ部とを有
し、その各デコーダ部のうちユーザが選択したチャンネルに対応するデコーダ部でデコー
ド処理した番組情報を切替部を介して表示部に送り出して再生するようにしたディジタル
放送受信機において、ユーザがチャンネル選択を複数回おこなってその選択がザッピング
処理と判断された場合にそのチャンネル選択が昇順選択か降順選択かを判断し、その判断
に基づいて各チューナ及び各デコーダ部のうち選択したチャンネルに対応するもの以外を
昇順側または降順側のチャンネルに切り替え、その切り替えたチャンネルを先行チャンネ
ルとしてデコード処理を行い、次にユーザが選択したチャンネルが先行チャンネルと一致
するか否かを判断し、一致する場合に、先行チャンネルのデコーダ部を認識し、そのデコ
ーダ部の番組情報を切替部を介して表示部に送り出して再生することを特徴とするチャン
ネル切替方法。
【発明の詳細な説明】
【技術分野】
【０００１】
本発明は、ディジタル放送により供給される番組情報を受信するディジタル放送受信機
とそのチャンネル切替方法に関する。
【背景技術】
【０００２】
ディジタル放送では、その伝送、符号化方式としてＭＰＥＧ−２  ＴＳ（Ｖｉｄｅｏ：
ＭＰＥＧ２  ｏｒ  Ｈ．２６４、Ａｕｄｉｏ：ＡＡＣ  ｏｒ  ＡＣ３）が使用される。こ
の方式では、基本となる初期画像をまず始めに送付し、次からは初期画像との差分のみを
送付することで、動画像を圧縮するものである。
【０００３】
この方式では、チャンネルを切り替えるたびに、ユーザが指定するチャンネルで配信さ
れる信号のチューニングと、ＭＰＥＧ−２のデコード処理（リセット−初期化−ＭＰＥＧ
−２  ＴＳ解析−設定−復号、またはリセット−初期化までの準備）とを行っており、そ
のデコード処理に時間がかかって、アナログＴＶの番組切り替えに比べ、チャンネル切り
替え時のインターバルが長くなる。
【０００４】
上記難点を解消する技術として特許文献１に記載したものがある。これは、ピクチャー
インピクチャー機能を備えたディジタル放送受信機であって、ディジタル放送により複数
のチャンネルで供給される圧縮符号化された番組情報のうちユーザが選択したチャンネル
の番組情報を受信する第１、第２のチューナと、その各チューナで受信した番組情報をデ
マルチプレクサを介してデコード処理する第１、第２のデコーダ部とを有するものであり
、第１チューナ及び第１デコーダ部とからなる第１の受信系で第１の番組を再生中に、ユ
ーザが第２の番組を再生させる命令を伝達したときに、第２チューナ及び第２デコーダ部
とからなる第２の受信系でデコーダ処理して第２の番組を抽出するようになっており、ユ
ーザが第２の番組を選択してから実際にその第２の番組を再生するまでに要する時間を短
縮する。
【特許文献１】特許第３９０９９４７号
【発明の開示】
【発明が解決しようとする課題】
【０００５】
上記従来の構成では、第１の番組を再生中に、ユーザが第２の番組を再生させる命令を
伝達しなかった場合、その第２の番組のデコーダ処理が行われないから、時間短縮を図る
ことができず、チャンネル切り替え時のインターバルが長くなる。
【０００６】
本発明は、上記従来の欠点に鑑み、ユーザのザッピングを予測してチャンネル切り替え
時のインターバルを短縮することができるようにしたディジタル放送受信機とそのチャン
ネル切替方法とを提案するものである。
【課題を解決するための手段】
【０００７】
上記目的を達成するため、請求項１に記載の発明は、ディジタル放送により複数のチャ
ンネルで供給される圧縮符号化された番組情報のうちユーザが選択したチャンネルの番組
情報を受信する複数のチューナと、その各チューナで受信した番組情報をデマルチプレク
サを介してデコード処理する複数のデコーダ部とを有し、その各デコーダ部のうちユーザ
が選択したチャンネルに対応するデコーダ部でデコード処理した番組情報を切替部を介し
て表示部に送り出して再生するようにしたディジタル放送受信機において、ユーザがチャ
ンネル選択を複数回おこなってその選択がザッピング処理と判断された場合にそのチャン
ネル選択が昇順選択か降順選択かを判断し、その判断に基づいて各チューナ及び各デコー
ダ部のうち選択したチャンネルに対応するもの以外を昇順側または降順側のチャンネルに
切り替えるザッピング手段が設けられていることを特徴としている。
【０００８】
請求項２に記載の発明は、請求項１に記載の発明において、前記チューナ及びデコーダ
部が３台以上設けられており、ザッピング手段により昇順選択か降順選択かの判断に基づ
いて各チューナ及び各デコーダ部のうち選択したチャンネルに対応するもの以外を昇順側
または降順側の複数のチャンネルに切り替えるようにしたことを特徴としている。
【０００９】
請求項３に記載の発明は、ディジタル放送により複数のチャンネルで供給される圧縮符
号化された番組情報のうちユーザが選択したチャンネルの番組情報を受信する複数のチュ
ーナと、その各チューナで受信した番組情報をデマルチプレクサを介してデコード処理す
る複数のデコーダ部とを有し、その各デコーダ部のうちユーザが選択したチャンネルに対
応するデコーダ部でデコード処理した番組情報を切替部を介して表示部に送り出して再生
するようにしたディジタル放送受信機において、ユーザがチャンネル選択を複数回おこな
ってその選択がザッピング処理と判断された場合にそのチャンネル選択が昇順選択か降順
選択かを判断し、その判断に基づいて各チューナ及び各デコーダ部のうち選択したチャン
ネルに対応するもの以外を昇順側または降順側のチャンネルに切り替え、その切り替えた
チャンネルを先行チャンネルとしてデコード処理を行い、次にユーザが選択したチャンネ
ルが先行チャンネルと一致するか否かを判断し、一致する場合に、先行チャンネルのデコ
ーダ部を認識し、そのデコーダ部の番組情報を切替部を介して表示部に送り出して再生す
ることを特徴としている。
【発明の効果】
【００１０】
請求項１に記載の発明によれば、ユーザがチャンネル選択を複数回おこなってその選択
がザッピング処理と判断された場合にそのチャンネル選択が昇順選択か降順選択かを判断
し、その判断に基づいて選択したチャンネル以外のチャンネルを昇順側または降順側に切
り替えて予めデコード処理を行っているから、その予測した昇順側または降順側のチャン
ネルをユーザが選択することにより、チャンネル切り替え時のインターバルを短縮して、
番組の再生を迅速に行うことができる。
【００１１】
請求項２に記載の発明によれば、チューナ及びデコーダ部が３台以上設けられており、
予めデコード処理するチャンネルの数が多いから、ユーザが昇順側または降順側にチャン
ネルを複数回にわたって切り替えるのに対応することができ、使い勝手がよい。
【００１２】
請求項３に記載の発明によれば、ユーザが選択するであろうチャンネルを予測してデコ
ード処理を行っているから、その予測した昇順側または降順側のチャンネルをユーザが選
択することにより、チャンネル切り替え時のインターバルを短縮して、番組の再生を迅速
に行うことができる。
【発明を実施するための最良の形態】
【００１３】
図１は本発明の実施の一形態であるディジタル放送受信機を示すブロック図であって、
ディジタル放送により複数のチャンネルで供給される圧縮符号化された番組情報のうちユ
ーザが選択したチャンネルの番組情報を受信する第１から第３のチューナ１ａ〜１ｃと、
その放送波を実際の映像に変換処理するためのデコーダ２と、そのデコーダ２から出力さ
れた映像を再生するためのモニターなどの表示部３とを有している。
【００１４】
前記デコーダ２は、各チューナ１ａ〜１ｃで受信した番組情報をデマルチプレクサ４を
介してデコード処理する第１から第３のデコーダ部２ａ〜２ｃを有し、そのいずれかのデ
コーダ部２ａ〜２ｃを表示部３に接続するための切替部５が設けられている。
【００１５】
前記デマルチプレクサ４は、各チューナ１ａ〜１ｃから供給されたＴＳ（Ｔｒａｎｓｐ
ｏｒｔ  Ｓｔｒｅａｍ）から必要なＴＳバケットを分離するものであって、ＭＰＥＧ−２
方式により圧縮されたビデオデータのＴＳバケットと、ＭＰＥＧ−２方式により圧縮され
たオーディオデータのＴＳバケットを得て、その圧縮ビデオデータと圧縮オーディオデー
タとを各デコーダ部２ａ〜２ｃにマトリックス的に出力する。
【００１６】
前記各デコーダ部２ａ〜２ｃは、デマルチプレクサ４を介して入力された圧縮ビデオデ
ータと圧縮オーディオデータとにデコード処理（リセット−初期化−ＭＰＥＧ−２  ＴＳ
解析−設定−復号、またはリセット−初期化までの準備）を行う。
【００１７】
この実施の形態では、チューナ１ａ〜１ｃ及びデコーダ部２ａ〜２ｃが３つあるので、
３つのチャンネル（ｃｈ）のストリームデータについてのデコード処理を同時に行うこと
ができる。例えばユーザが選択したチャンネルに対応する第１デコーダ部２ａでデコード
処理した番組情報を切替部５を介して表示部３に送り出して再生し、それと同時に、第２
、第３のデコーダ部２ｂ，２ｃで選択したチャンネル以外の２つのチャンネルの番組情報
を予めデコード処理することができ、その各デコーダ部２ａ〜２ｃでデコード処理した３
つの先行チャンネルのいずれかをユーザが後から選択することにより、そのデコード処理
に要した時間を短縮することができる。
【００１８】
前記切替部５は、各デコーダ部２ａ〜２ｃを表示部３に択一的に切り替えて接続するこ
とにより、その接続したデコーダ部２ａ〜２ｃから表示部３にビデオデータ及びオーディ
オデータを出力する。
【００１９】
図１中、６はＣＰＵからなるシステムコントローラであって、各チューナ１ａ〜１ｃ、
デマルチプレクサ４、各デコーダ部２ａ〜２ｃ、切替部５及び表示部３を制御するもので
あり、ユーザがチャンネル選択を複数回おこなってその選択がザッピング処理と判断され
た場合にそのチャンネル選択が昇順選択か降順選択かを判断し、その判断に基づいて各チ
ューナ１ａ〜１ｃ及び各デコーダ部２ａ〜２ｃのうち選択したチャンネルに対応するもの
以外を昇順側または降順側のチャンネルに切り替えるザッピング手段を有している。ここ
で、ザッピングの昇順選択とは、例えば４ｃｈから５ｃｈに移行するように、プラス側に
隣接するチャンネルに移行することであり、ザッピングの降順選択とは、例えば４ｃｈか
ら３ｃｈに移行するように、マイナス側に隣接するチャンネルに移行することである。
【００２０】
前記システムコントローラ６には、チャンネルを選択するための選局キーなどの各種操
作キーを備えた操作入力部８と、その操作入力部８と同様の機能を備えたリモコン９ａか
らの赤外線信号によるコマンド信号を受信するためのリモコン受光部９ｂと、システムコ
ントローラ６を制御するためのプログラムを格納した例えばフラッシュメモリなどの不揮
発性メモリからなるＲＯＭ１０と、データの読み出しや書き込みを行うためのＲＡＭ１１
とが接続されている。
【００２１】
制御作用を図２に示す流れ図に基づいて説明すると、ステップＳ１に示すように、電源
ＯＮさせることによりディジタル放送受信機を起動させると、その起動前にＲＡＭ１１に
記憶されていた複数の先行チャンネル（例えば４ｃｈ、５ｃｈ、６ｃｈ）が読み出され、
その各チャンネルに対応して各デコーダ部２ａ〜２ｃでデコード処理がなされ、ユーザが
起動前に選択していたチャンネルに対応する番組情報が再生される。
【００２２】
次に、ステップＳ２に示すように、操作入力部８またはリモコン９ａを操作してユーザ
がチャンネルを選択すると、ステップＳ３に移行し、ザッピング処理開始か否かを判断す
る。この場合、チャンネル選択が１回目であるから、ザッピング処理は開始されず、ステ
ップＳ８に移行し、選択したチャンネルが先行チャンネルと一致するか否かを判断し、一
致する場合には、ステップＳ９に移行し、先行チャンネルのデコーダ部２ａ〜２ｃを認識
する。このとき、その先行チャンネルのデコード処理が先に行われているから、そのデコ
ード処理に要する時間を短縮することができる。次に、ステップＳ１１を移行して切替部
５を操作し、ステップＳ１２に移行して選択したチャンネルに対応する番組情報を表示部
３に送り出して再生する。
【００２３】
ステップＳ８で、選択したチャンネルが先行チャンネルと一致するか否かを判断し、一
致しない場合には、ステップＳ１０に移行し、その選択したチャンネルのデコード処理を
行い、ステップＳ１１からＳ１２に移行し、選択したチャンネルに対応する番組情報を表
示部３に送り出して再生する。
【００２４】
ステップＳ２に戻って、ユーザが２回目のチャンネル選択を行うと、ステップＳ３に移
行し、ザッピング処理開始か否かを判断する。この場合、１回目のチャンネルから隣接す
るチャンネルを２回目に選択すると、ザッピング処理が開始され、ステップＳ４に移行し
て、そのチャンネル選択が昇順選択か降順選択かを判断し、昇順選択の場合には、ステッ
プＳ５に移行し、各チューナ１ａ〜１ｃ及び各デコーダ部２ａ〜２ｃのうち選択したチャ
ンネルに対応するもの以外を昇順側チャンネルに切り替え、降順選択の場合には、ステッ
プＳ６に移行し、各チューナ１ａ〜１ｃ及び各デコーダ部２ａ〜２ｃのうち選択したチャ
ンネルに対応するもの以外を降順側チャンネルに切り替え、ステップＳ７に移行し、切り
替えたチャンネルを先行チャンネルとしてデコード処理を行うと共に、その切り替えたチ
ャンネルを先行チャンネルとしてＲＡＭ１１に書き込む。続いて、ステップＳ８に移行し
、以後は前述した手順で、選択したチャンネルに対応する番組情報を再生する。
【００２５】
ステップＳ２の戻って、３回目に昇順選択または降順選択でチャンネルを選択すると、
上記と同様の手順で処理されるが、その選択したチャンネルが先行チャンネルとして予め
デコード処理されているから、その選択したチャンネルに対応する番組情報が直ちに再生
される。
【００２６】
ステップＳ２の戻って、２回目以降に、昇順選択でも降順選択でもないチャンネル選択
した場合には、ステップＳ３からＳ８に移行し、以後は前述した手順で処理される。
【００２７】
具体例を示すと、ステップＳ２で、ユーザが例えば４ｃｈを選択すると、ステップＳ３
に移行し、ザッピング処理開始か否かを判断する。この場合、チャンネル選択が１回目で
あるから、ザッピング処理は開始されず、ステップＳ８に移行し、選択した４ｃｈが先行
チャンネルと一致するか否かを判断し、一致する場合には、ステップＳ９に移行し、各デ
コーダ部２ａ〜２ｃのうち先行チャンネル（４ｃｈ）に対応するものを認識する。次に、
ステップＳ１１に移行して切替部５を操作し、ステップＳ１２に移行し、４ｃｈに対応す
る番組情報を表示部３に送り出して再生する。
【００２８】
ステップＳ８で、選択した４ｃｈが先行チャンネルと一致するか否かを判断し、一致し
ない場合には、ステップＳ１０に移行し、その選択した４ｃｈのデコード処理を行う。次
に、ステップＳ１１からＳ１２に移行し、４ｃｈに対応する番組情報を表示部３に送り出
して再生する。
【００２９】
ステップＳ２に戻って、ユーザが２回目に５ｃｈを選択した場合には、昇順選択である
から、次に、６ｃｈか７ｃｈを選択すると予測して、ステップＳ２からステップＳ３及び
Ｓ４を経由してステップＳ５に移行し、各チューナ１ａ〜１ｃ及び各デコーダ部２ａ〜２
ｃのうち５ｃｈに対応するもの以外を６ｃｈ，７ｃｈに切り替え、ステップＳ７に移行し
て、６ｃｈ，７ｃｈを先行チャンネルとしてデコード処理し、その６ｃｈ，７ｃｈをＲＡ
Ｍ１１に書き込む。続いて、ステップＳ８に移行し、以後は前述した手順で、５ｃｈに対
応する番組情報を再生する。
【００３０】
ステップＳ２に戻って、ユーザが２回目に３ｃｈを選択した場合には、降順選択である
から、次に、２ｃｈか１ｃｈを選択すると予測して、ステップＳ２からステップＳ３及び
Ｓ４を経由してステップＳ６に移行し、各チューナ１ａ〜１ｃ及び各デコーダ部２ａ〜２
ｃのうち３ｃｈに対応するもの以外を２ｃｈ，１ｃｈに切り替え、ステップＳ７に移行し
て、２ｃｈ，１ｃｈを先行チャンネルとしてデコード処理し、その２ｃｈ，１ｃｈをＲＡ
Ｍ１１に書き込む。続いて、ステップＳ８に移行し、以後は前述した手順で、３ｃｈに対
応する番組情報を再生する。
【００３１】
ステップＳ２の戻って、３回目に昇順選択として６ｃｈまたは７ｃｈを選択したり、降
順選択として２ｃｈまたは１ｃｈを選択した場合には、上記と同様の手順で処理されるが
、その６ｃｈまたは７ｃｈや２ｃｈまたは１ｃｈが先行チャンネルとして予めデコード処
理されているから、その選択したチャンネルに対応する番組情報が直ちに再生される。
【００３２】
ステップＳ２の戻って、２回目以降に、昇順選択でも降順選択でもない例えば１５ｃｈ
をチャンネル選択した場合には、ステップＳ３からＳ８に移行し、以後は前述した手順で
処理される。
【００３３】
上記構成によれば、ユーザがチャンネル選択を複数回行ったときにそのチャンネル選択
が昇順選択か降順選択かを判断し、その判断に基づいて各チューナ１ａ〜１ｃ及び各デコ
ーダ部２ａ〜２ｃのうち選択したチャンネルに対応するもの以外を昇順側または降順側の
チャンネルに切り替えて予めデコード処理を行っているから、その予測した昇順側または
降順側のチャンネルをユーザが選択することにより、チャンネル切り替え時のインターバ
ルを短縮して、番組の再生を迅速に行うことができる。
【００３４】
上記の実施の形態では、３つのチューナ１ａ〜１ｃ及びデコーダ部２ａ〜２ｃを備えた
ディジタル放送受信機を例にあげて説明したが、これに限定されるわけではなく、例えば
２つのチューナ及びデコーダ部を備えたピクチャーインピクチャー機能を備えたディジタ
ル放送受信機や４つ以上のチューナ及びデコーダ部を備えたディジタル放送受信機にも適
用される。
【００３５】
上記のようにチューナ及びデコーダ部が３台以上設けられている場合には、予めデコー
ド処理するチャンネルの数が多いから、ユーザが昇順側または降順側にチャンネルを複数
回にわたって切り替えるのに対応することができ、使い勝手がよい。
【図面の簡単な説明】
【００３６】
【図１】本発明の実施の一形態であるディジタル放送受信機を示すブロック図である。
【図２】同制御作用を示す流れ図である。
【符号の説明】
【００３７】
１ａ〜１ｃ    チューナ
２            デコーダ
２ａ〜２ｃ    デコーダ部
３            表示部
４            デマルチプレクサ
５            切替部
【図１】
2009200929.tif 000003
【図２】
2009200929.tif 000004